【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
オールバンクプリチャージ命令に応答してバーンイン制御信号およびバーンインプリチャージ信号を出力する信号生成ユニットと、
前記バーンイン制御信号と前記バーンインプリチャージ信号に応答して、第１電圧又は前記第１電圧より低い第２電圧のうちいずれか１つをワード線に供給する電圧制御ユニットと
を含むことを特徴とする電圧制御装置。
【請求項２】
前記電圧制御ユニットには、第１プリチャージ信号およびアクティブ信号がさらに入力されることを特徴とする請求項１に記載の電圧制御装置。
【請求項３】
前記信号生成ユニットは、
バーンインテストモード信号および制御信号に応答して、前記バーンイン制御信号を出力する第１信号生成部と、
第２プリチャージ信号および前記アクティブ信号に応答して、前記バーンインプリチャージ信号を出力する第２信号生成部と
を含むことを特徴とする請求項２に記載の電圧制御装置。
【請求項４】
前記第１信号生成部は、前記バーンインテストモード信号および前記制御信号が入力されて、前記バーンインテストモード信号および前記制御信号がいずれもハイレベルである時、イネーブルになるように設計されていることを特徴とする請求項３に記載の電圧制御装置。
【請求項５】
前記第２信号生成部は、
前記アクティブ信号を反転する第１インバータと、
前記第２プリチャージ信号および前記第１インバータの出力信号が入力されてナンドゲートと、
前記ナンドゲートの出力信号が入力されて、前記バーンインプリチャージ信号を生成する  第２インバータと
を含むことを特徴とする請求項３又は４に記載の電圧制御装置。
【請求項６】
前記電圧制御ユニットは、
前記アクティブ信号、前記第１プリチャージ信号、前記バーンインプリチャージ信号および前記バーンイン制御信号に応答して、電圧制御信号を出力する制御信号生成部と、
前記電圧制御信号に応答して、前記第１電圧又は前記第２電圧のうちいずれか１つを前記ワード線に供給する電圧供給制御部と
を含むことを特徴とする請求項２又は５に記載の電圧制御装置。
【請求項７】
前記制御信号生成部は、
前記アクティブ信号が入力されて、前記アクティブ信号を遅延させたアクティブディレイ信号を生成し、前記アクティブディレイ信号に応答して、アクティブディレイパルス信号を生成する第１制御信号生成部と、
前記第１プリチャージ信号、前記バーンインプリチャージ信号、前記バーンイン制御信号、前記アクティブディレイ信号および前記アクティブディレイパルス信号に応答して、前記電圧制御信号を生成する第２制御信号生成部と
を含むことを特徴とする請求項６に記載の電圧制御装置。
【請求項８】
前記第１制御信号生成部は、
前記アクティブ信号を第１時間ほど遅延させ、前記アクティブディレイ信号を生成する信号遅延部と、
前記アクティブディレイ信号に応答して、パルス信号の前記アクティブディレイパルス信号を生成するパルス発生部と
を含むことを特徴とする請求項７に記載の電圧制御装置。
【請求項９】
前記第２制御信号生成部は、
前記第１プリチャージ信号、前記バーンイン制御信号、前記アクティブディレイ信号および前記アクティブディレイパルス信号に応答して、第１ノードの電位を変化させる第１信号入力部と、
前記第１ノードの電位をラッチする第１ラッチ部と、
前記バーンインプリチャージ信号、前記バーンイン制御信号および前記アクティブディレイ信号に応答して、第２ノードの電位を変化させる第２信号入力部と、
前記第２ノードの電位をラッチする第２ラッチ部と、
前記アクティブディレイ信号に応答して、前記第１ラッチ部および前記第２ラッチ部の出力信号のうちいずれか１つを駆動させ、前記電圧制御信号として出力する信号駆動部と
を含むことを特徴とする請求項７又は８に記載の電圧制御装置。
【請求項１０】
前記電圧供給制御部は、前記電圧制御信号に応答して、前記第１電圧および前記第２電圧をショートさせるスイッチング素子を含むことを特徴とする請求項６又は９に記載の電圧制御装置。
【請求項１１】
前記バーンインテストモード信号はバーンインテストモード時に活性化される信号であり、前記制御信号は前記オールバンクプリチャージ命令に応答して活性化される信号であることを特徴とする請求項３又は１０に記載の電圧制御装置。
【請求項１２】
前記第１プリチャージ信号は複数のバンクのうちの一部をプリチャージする信号であり、前記第２プリチャージ信号は複数の前記バンクのすべてをプリチャージする信号であることを特徴とする請求項１１に記載の電圧制御装置。
【請求項１３】
オールバンクプリチャージ命令に応答して、電圧制御信号を活性化させて出力する制御信号生成ユニットと、
アクティブ動作時に、前記電圧制御信号に応答して、ワード線に第２電圧を印加した後前記第１電圧が印加されるようにし、プリチャージ動作時に、前記ワード線に予め第２電圧が印加されるようにする電圧供給制御ユニットと
を含むことを特徴とする電圧制御装置。
【請求項１４】
前記制御信号生成ユニットは、バーンイン制御信号、バーンインプリチャージ信号、アクティブ信号および第１プリチャージ信号に応答して、前記電圧制御信号を生成することを特徴とする請求項１３に記載の電圧制御装置。
【請求項１５】
前記オールバンクプリチャージ命令に応答してバーンイン制御信号およびバーンインプリチャージ信号を出力する信号生成ユニットをさらに含むことを特徴とする請求項１３又は１４に記載の電圧制御装置。
【請求項１６】
前記信号生成ユニットは、
バーンインテストモード信号および制御信号に応答して、前記バーンイン制御信号を出力する第１信号生成部と、
第２プリチャージ信号および前記アクティブ信号に応答して、前記バーンインプリチャージ信号を出力する第２信号生成部と
を含むことを特徴とする請求項１５に記載の電圧制御装置。
【請求項１７】
前記第１信号生成部は、前記バーンインテストモード信号および前記制御信号がいずれもハイレベルである時、イネーブルになることを特徴とする請求項１６に記載の電圧制御装置。
【請求項１８】
前記制御信号生成部は、
前記アクティブ信号が入力されて、前記アクティブ信号を遅延させたアクティブディレイ信号を生成し、前記アクティブディレイ信号に応答して、アクティブディレイパルス信号を生成する第１制御信号生成部と、
前記第１プリチャージ信号、前記バーンインプリチャージ信号、前記バーンイン制御信号、前記アクティブディレイ信号および前記アクティブディレイパルス信号に応答して、前記電圧制御信号を生成する第２制御信号生成部と
を含むことを特徴とする請求項１３に記載の電圧制御装置。
【請求項１９】
前記第２制御信号生成部は、
前記第１プリチャージ信号、前記バーンイン制御信号、前記アクティブディレイ信号および前記アクティブディレイパルス信号に応答して、第１ノードの電位を変化させる第１信号入力部と、
前記第１ノードの電位をラッチする第１ラッチ部と、
前記バーンインプリチャージ信号、前記バーンイン制御信号および前記アクティブディレイ信号に応答して、第２ノードの電位を変化させる第２信号入力部と、
前記第２ノードの電位をラッチする第２ラッチ部と、
前記アクティブディレイ信号に応答して、前記第１ラッチ部および前記第２ラッチ部の出力信号のうちいずれか１つを駆動させ、前記電圧制御信号として出力する信号駆動部と
を含むことを特徴とする請求項１８に記載の電圧制御装置。
【請求項２０】
前記電圧供給制御ユニットは、前記電圧制御信号に応答して、前記第１電圧および前記第２電圧をショートさせるスイッチング素子を含むことを特徴とする請求項１３に記載の電圧制御装置。
【請求項２１】
バーンインテストモード時にテストモード信号を活性化させるステップと、
オールバンクプリチャージ命令に応答して、バーンイン制御信号およびバーンインプリチャージ信号を活性化させ、電圧制御信号を活性化させるステップと、
アクティブ動作時、前記電圧制御信号に応答して、ワード線に第２電圧を印加してから第１電圧を印加するステップと、
プリチャージ動作時、前記ワード線が非活性化される前に前記電圧制御信号に応答して、前記ワード線に前記第２電圧を印加するステップと
を含むことを特徴とする電圧制御方法。
【請求項２２】
前記電圧制御信号を生成するステップは、
制御信号および前記バーンインテストモード信号に応答して、前記バーンイン制御信号を出力するステップと、
第１プリチャージ信号およびアクティブ信号に応答して、前記バーンインプリチャージ信号を出力するステップと
を含むことを特徴とする請求項２１に記載の電圧制御方法。
【請求項２３】
前記アクティブ動作時ワード線に電圧を印加するステップは、
前記アクティブ信号を遅延させ、アクティブディレイ信号を出力するステップと、
前記アクティブディレイ信号に応答して、パルス信号のアクティブディレイパルス信号を出力するステップと
を含むことを特徴とする請求項２１又は２２に記載の電圧制御方法。
【請求項２４】
前記プリチャージ動作時ワード線に電圧を印加するステップと、
プリチャージ命令が入力される前に前記オールバンクプリチャージ命令が入力されるステップと
を含むことを特徴とする請求項２１乃至２３のいずれかに記載の電圧制御方法。